(57)【要約】【課題】  本発明はこのような課題を解決するためになされたものであり、パフォーマンスをなるべく低減せずに、より通信可能性を向上することができるネットワークファクシミリ装置を提供することを目的とする。【解決手段】公衆網に接続し、公衆網を介してファクシミリ通信を行うファクシミリ通信機能と、ＩＰ網に接続し、ＩＰ網を介してファクシミリ通信を行うネットワークファクシミリ通信機能を備えたネットワークファクシミリ装置において、送信時に利用可能な通信機能をユーザに選択させる送信選択手段を備え、上記送信選択手段は、通信可能な状態になっていない通信機能の選択項目が選択不能にされるようにしたものである。【選択図】        図２
2005204004.tif 000002
【特許請求の範囲】
【請求項１】
公衆網に接続し、公衆網を介してファクシミリ通信を行うファクシミリ通信機能と、ＩＰ網に接続し、ＩＰ網を介してファクシミリ通信を行うネットワークファクシミリ通信機能を備えたネットワークファクシミリ装置において、
送信時に利用可能な通信機能をユーザに選択させる送信選択手段を備え、
上記送信選択手段は、通信可能な状態になっていない通信機能の選択項目が選択不能にされることを特徴とするネットワークファクシミリ装置。
【請求項２】
公衆網に接続し、公衆網を介してファクシミリ通信を行うファクシミリ通信機能と、ＩＰ網に接続し、ＩＰ網を介してファクシミリ通信を行うネットワークファクシミリ通信機能を備えたネットワークファクシミリ装置において、
送信時に上記ファクシミリ通信機能またはネットワークファクシミリ通信機能のうち利用するものをユーザに選択させる送信選択手段と、
上記ファクシミリ通信機能の利用可能性を検査するファクシミリ通信機能検査手段と、
上記ネットワークファクシミリ通信機能の利用可能性を検査するネットワークファクシミリ通信機能検査手段を備え、
上記ファクシミリ通信機能検査手段が上記ファクシミリ通信機能を利用できないと判定している場合には、上記送信選択手段では、上記ファクシミリ通信機能を選択できない状態とする一方、上記ネットワークファクシミリ通信機能検査手段が上記ネットワークファクシミリ通信機能を利用できないと判定している場合には、上記送信選択手段では、上記ネットワークファクシミリ通信機能を選択できない状態とすることを特徴とするネットワークファクシミリ装置。
【請求項３】
前記ファクシミリ通信機能は、複数の通信回線が利用可能であり、前記送信選択手段は、複数の通信回線のおのおのについて選択可能にすることを特徴とする請求項１または請求項２記載のネットワークファクシミリ装置。
【請求項４】
前記ネットワークファクシミリ通信機能は、複数の通信態様が利用可能であり、前記送信選択手段は、その複数の通信態様のおのおのについて選択可能にすることを特徴とする請求項１または請求項２または請求項３記載のネットワークファクシミリ装置。
【請求項５】
公衆網に接続し、公衆網を介してファクシミリ通信を行うファクシミリ通信機能と、ＩＰ網に接続し、ＩＰ網を介してファクシミリ通信を行うネットワークファクシミリ通信機能を備えたネットワークファクシミリ装置において、
同一の相手先に対して、上記ファクシミリ通信機能で適用する第１の宛先情報と、上記ネットワークファクシミリ通信機能で適用する第２の宛先情報を登録したアドレス帳手段を備え、
上記アドレス帳手段を用いて相手先を選択する際、通信可能な状態になっていない通信機能に対応した宛先情報が選択不能にされることを特徴とするネットワークファクシミリ装置。
【請求項６】
公衆網に接続し、公衆網を介してファクシミリ通信を行うファクシミリ通信機能と、ＩＰ網に接続し、ＩＰ網を介してファクシミリ通信を行うネットワークファクシミリ通信機能を備えたネットワークファクシミリ装置において、
同一の相手先に対して、上記ファクシミリ通信機能で適用する第１の宛先情報と、上記ネットワークファクシミリ通信機能で適用する第２の宛先情報を登録したアドレス帳手段と、
あらかじめ蓄積された画情報を、あらかじめ設定された通信機能を適用して指定された宛先へ送信するメモリ送信手段を備え、
上記メモリ送信手段は、送信時に、設定された通信機能が利用できない場合には、他の通信機能を代替使用するとともに、代替使用する通信機能に対応した宛先情報は、上記アドレス帳手段より取得することを特徴とするネットワークファクシミリ装置。
【請求項７】
前記複数の通信機能を適用する優先順位を設定し、前記メモリ送信手段は、送信時に、設定された通信機能が利用できない場合には、上記設定された優先順位に従って利用可能な通信機能を選択し、送信動作を行うことを特徴とする請求項６記載のネットワークファクシミリ装置。
【請求項８】
前記メモリ送信手段が設定された通信機能以外の通信機能を利用して送信動作を行った場合には、当該送信に関する通信履歴情報には、代替通信動作を行った旨を登録することを特徴とする請求項６または請求項７記載のネットワークファクシミリ装置。
【発明の詳細な説明】
【技術分野】
【０００１】
本発明は、公衆網に接続し、公衆網を介してファクシミリ通信を行うファクシミリ通信機能と、ＩＰ網に接続し、ＩＰ網を介してファクシミリ通信を行うネットワークファクシミリ通信機能を備えたネットワークファクシミリ装置に関する。
【背景技術】
【０００２】
近年、公衆網に接続し、公衆網を介してファクシミリ通信を行うファクシミリ通信機能と、ＩＰ網に接続し、ＩＰ網を介してファクシミリ通信を行うネットワークファクシミリ通信機能を備えたネットワークファクシミリ装置が実用されている。
【０００３】
また、このネットワークファクシミリ装置におけるネットワークファクシミリ通信機能としては、例えば、ＩＴＵ−Ｔ勧告Ｔ．３７に規定されている電子メールを用いて画情報をやりとりするＴ．３７通信機能や、ＩＴＵ−Ｔ勧告Ｔ．３８に規定されているリアルタイム的に画情報をやりとりするＴ．３８通信機能がある。
【０００４】
このように、ファクシミリ通信機能とネットワークファクシミリ通信機能をともに備えたネットワークファクシミリ装置では、どちらの機能を選択するかをユーザが指定する必要がある。この通信機能の選択については、最適な通信手段で通信を可能にするようにしたものが提案されている（特許文献１参照）。
【特許文献１】特開２００３−３０９７０１号公報
【発明の開示】
【発明が解決しようとする課題】
【０００５】
しかしながら、ＩＰ網は公衆網に比べると歴史が浅くネットワークの構築等でダウンすることがしばしばある。またウィルス等の被害のためローカルでネットワークから切り離されてしまうケースも考えられる。そのため常にパフォーマンスのよい通信手段を選択していると、障害に弱い通信端末になってしまう。
【０００６】
本発明はこのような課題を解決するためになされたものであり、パフォーマンスをなるべく低減せずに、より通信可能性を向上することができるネットワークファクシミリ装置を提供することを目的とする。
【課題を解決するための手段】
【０００７】
本発明は、公衆網に接続し、公衆網を介してファクシミリ通信を行うファクシミリ通信機能と、ＩＰ網に接続し、ＩＰ網を介してファクシミリ通信を行うネットワークファクシミリ通信機能を備えたネットワークファクシミリ装置において、送信時に利用可能な通信機能をユーザに選択させる送信選択手段を備え、上記送信選択手段は、通信可能な状態になっていない通信機能の選択項目が選択不能にされるようにしたものである。
【０００８】
また、公衆網に接続し、公衆網を介してファクシミリ通信を行うファクシミリ通信機能と、ＩＰ網に接続し、ＩＰ網を介してファクシミリ通信を行うネットワークファクシミリ通信機能を備えたネットワークファクシミリ装置において、送信時に上記ファクシミリ通信機能またはネットワークファクシミリ通信機能のうち利用するものをユーザに選択させる送信選択手段と、上記ファクシミリ通信機能の利用可能性を検査するファクシミリ通信機能検査手段と、上記ネットワークファクシミリ通信機能の利用可能性を検査するネットワークファクシミリ通信機能検査手段を備え、上記ファクシミリ通信機能検査手段が上記ファクシミリ通信機能を利用できないと判定している場合には、上記送信選択手段では、上記ファクシミリ通信機能を選択できない状態とする一方、上記ネットワークファクシミリ通信機能検査手段が上記ネットワークファクシミリ通信機能を利用できないと判定している場合には、上記送信選択手段では、上記ネットワークファクシミリ通信機能を選択できない状態とするようにしたものである。
【０００９】
また、前記ファクシミリ通信機能は、複数の通信回線が利用可能であり、前記送信選択手段は、複数の通信回線のおのおのについて選択可能にするようにしたものである。
【００１０】
また、前記ネットワークファクシミリ通信機能は、複数の通信態様が利用可能であり、前記送信選択手段は、その複数の通信態様のおのおのについて選択可能にするようにしたものである。
【００１１】
また、公衆網に接続し、公衆網を介してファクシミリ通信を行うファクシミリ通信機能と、ＩＰ網に接続し、ＩＰ網を介してファクシミリ通信を行うネットワークファクシミリ通信機能を備えたネットワークファクシミリ装置において、同一の相手先に対して、上記ファクシミリ通信機能で適用する第１の宛先情報と、上記ネットワークファクシミリ通信機能で適用する第２の宛先情報を登録したアドレス帳手段を備え、上記アドレス帳手段を用いて相手先を選択する際、通信可能な状態になっていない通信機能に対応した宛先情報が選択不能にされるようにしたものである。
【００１２】
また、公衆網に接続し、公衆網を介してファクシミリ通信を行うファクシミリ通信機能と、ＩＰ網に接続し、ＩＰ網を介してファクシミリ通信を行うネットワークファクシミリ通信機能を備えたネットワークファクシミリ装置において、同一の相手先に対して、上記ファクシミリ通信機能で適用する第１の宛先情報と、上記ネットワークファクシミリ通信機能で適用する第２の宛先情報を登録したアドレス帳手段と、あらかじめ蓄積された画情報を、あらかじめ設定された通信機能を適用して指定された宛先へ送信するメモリ送信手段を備え、上記メモリ送信手段は、送信時に、設定された通信機能が利用できない場合には、他の通信機能を代替使用するとともに、代替使用する通信機能に対応した宛先情報は、上記アドレス帳手段より取得するようにしたものである。
【００１３】
また、前記複数の通信機能を適用する優先順位を設定し、前記メモリ送信手段は、送信時に、設定された通信機能が利用できない場合には、上記設定された優先順位に従って利用可能な通信機能を選択し、送信動作を行うようにしたものである。
【００１４】
また、前記メモリ送信手段が設定された通信機能以外の通信機能を利用して送信動作を行った場合には、当該送信に関する通信履歴情報には、代替通信動作を行った旨を登録するようにしたものである。
【発明の効果】
【００１５】
したがって、本発明によれば、障害の出ている網を使った通信機能を選択できないので、ユーザに無駄な送信動作をさせることがなくなるという効果を得る。
【００１６】
また、メモリ送信設定をした場合にも最適な通信機能を選択するのでユーザは送信動作を繰り返す必要がなくなるという効果も得る。
【００１７】
また、通信管理レポート上に代替手段で送信したことを明示できるのでユーザはそのときの通信状況を知ることができるという効果も得る。
【発明を実施するための最良の形態】
【００１８】
以下、添付図面を参照しながら、本発明の実施の形態を詳細に説明する。
【００１９】
図１は、本発明の一実施例にかかるネットワークシステムを示している。
【００２０】
同図において、ローカルエリアネットワークＬＡＮには、複数のワークステーション装置ＷＳ１〜ＷＳｎ、メールサーバ装置ＳＭ、および、ネットワークファクシミリ装置ＦＸが接続されているとともに、ルータ装置ＲＴを介してインターネットへ接続されている。したがって、ワークステーション装置ＷＳ１〜ＷＳｎ、メールサーバ装置ＳＭ、および、ネットワークファクシミリ装置ＦＸは、インターネットを介し、他の適宜な端末装置との間でデータをやりとりすることができる。
【００２１】
ここで、メールサーバ装置ＳＭは、ローカルエリアネットワークＬＡＮに接続されているワークステーション装置ＷＳ１〜ＷＳｎを利用するユーザ、および、ネットワークネットワークファクシミリ装置ＦＸに対して、周知の電子メールの収集および配布のサービスを提供するものである。
【００２２】
また、ワークステーション装置ＷＳ１〜ＷＳｎには、ファクシミリ画情報を作成および表示出力するファクシミリアプリケーションソフトウェア、および、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。
【００２３】
また、ネットワークファクシミリ装置ＦＸは、画情報や各種レポートなどを電子メールとしてやりとりするための電子メール処理機能、および、アナログ公衆回線網ＰＳＴＮに接続し、この公衆網を伝送路として用いてグループ３ファクシミリ伝送手順による画情報伝送を行う（グループ３）ファクシミリ通信機能を備えている。
【００２４】
図２は、ネットワークファクシミリ装置ＦＸの構成例を示している。
【００２５】
同図において、システム制御部１は、このネットワークファクシミリ装置ＦＸの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＸに固有な各種の情報を記憶するためのものであり、時計回路４は、現在時刻情報を出力するものである。
【００２６】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００２７】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２８】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２９】
網制御装置１１は、このネットワークファクシミリ装置ＦＸをアナログ公衆回線網ＰＳＴＮに接続するためのものであり、自動発着信機能を備えている。
【００３０】
ローカルエリアネットワークインターフェース回路１２は、このネットワークファクシミリ装置ＦＸをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００３１】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００３２】
また、網制御装置１１とグループ３ファクシミリモデム１０との間のデータのやりとりは、直接行なわれている。
【００３３】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００３４】
また、各端末がメールサーバ装置ＳＭに対して、ユーザ宛の電子メールの受信確認や取得要求などのために適用するプロトコルとしては、いわゆるＰＯＰ（Ｐｏｓｔ  Ｏｆｆｉｃｅ  Ｐｒｏｔｏｃｏｌ）などを適用することができる。
【００３５】
また、ＴＣＰ／ＩＰ，ＳＭＴＰ，ＰＯＰなどの通信プロトコル、および、電子メールのデータ形式やデータ構造などについては、それぞれＩＥＴＦから発行されているＲＦＣ文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ  Ｐｕｒｐｏｓｅ  Ｍａｉｌ  Ｅｘｔｅｎｓｉｏｎ）形式）などでそれぞれ規定されている。
【００３６】
さて、本実施例では、ネットワークファクシミリ装置ＦＸは、アナログ公衆回線網ＰＳＴＮを用い、グループ３ファクシミリ伝送手順を適用するファクシミリ通信機能を用いて画情報を送信できるとともに、ＩＴＵ−Ｔ勧告Ｔ．３７に準拠したＴ．３７通信機能を用い、電子メールを用いて画情報をやりとりすることができる。
【００３７】
そのために、操作表示部７には、例えば、図３（ａ）に示したように、ユーザが送信時に適用する送信手段を選択するための送信選択手段が表示される。
【００３８】
この送信選択手段の表示項目で、「Ｇ３ファクシミリ送信」は、ファクシミリ通信機能を用いて画情報を送信する場合をあらわし、「Ｔ３７（Ｅメール）送信」は、Ｔ．３７通信機能を用いて画情報を送信する場合をあらわす。また、ネットワークファクシミリ装置ＦＸは、アナログ公衆回線網ＰＳＴＮおよびローカルエリアネットワークＬＡＮを用いて通信ができるかどうかを常時監視しており、当該監視により、通信ができないと判断された送信手段については、上記送信選択手段の表示輝度が半輝度に設定されて、当該送信手段が選択できない旨をユーザに通知するようにしている。
【００３９】
ここで、アナログ公衆回線網ＰＳＴＮを使用できるかどうかの判定は、例えば、網制御装置１１が所定の回線電圧を検出しているか否かの判定処理を行うことで実現することができる。また、ローカルエリアネットワークＬＡＮを用いて通信ができるかどうかの判定は、例えば、メールサーバ装置ＳＭに対してＩＣＭＰ（Ｉｎｔｅｒｎｅｔ  Ｃｏｎｔｒｏｌ  Ｍｅｓｓａｇｅ  Ｐｒｏｔｏｃｏｌ）のｐｉｎｇコマンドを発行して、当該ｐｉｎｇコマンドに対する応答を受信できるか否かの判定処理を行うことで実現することができる。また、ローカルエリアネットワークＬＡＮを用いて通信ができるかどうかの判定は、この場合、Ｔ．３７通信機能では、電子メールを通信手段として用いるので、電子メールの送信をできるか否かを判定できればよく、上述した以外の方法も採用することができる。例えば、管轄のメールサーバについて、セキュリティ等の観点からｐｉｎｇコマンドを認識しない設定あるいはｐｉｎｇコマンドには応答しない設定がされている場合には、上述したｐｉｎｇコマンドを用いた回線機能テストを行うことができないので、他の方法（例えば、ダミーのアカウントを用いて、空の電子メールを自分宛に送信するなど）を採用する必要がある。
【００４０】
したがって、ユーザは、操作表示部７の送信選択手段の表示項目の内容を見るだけで、そのときに使用できる送信手段（通信手段）を確認することができ、直接送信動作、または、メモリ送信動作の宛先を選択する場合、適切な送信手段を選択することができる。
【００４１】
また、ネットワークファクシミリ装置ＦＸは、宛先に対して複数の宛先情報を登録するアドレス帳機能を備えており、このアドレス帳機能を利用して送信宛先を選択する選択画面では、例えば、宛先を検索した状態では、同図（ｂ）に示したような内容が表示され、「Ｇ３ファクシミリ」または「Ｔ３７（Ｅメール）」のいずれかを選択できるようにしている。
【００４２】
ここで、アドレス帳機能は、それぞれの宛先について、ファクシミリ通信機能を用いて画情報を送信する際に参照すべき電話番号（ファクシミリ番号）を登録する「Ｇ３ファクシミリ」という項目と、Ｔ．３７通信機能を用いて画情報を送信する際に参照すべきメールアドレスを登録する「Ｔ３７（Ｅメール）」という項目が設定されており、それぞれの項目について、適宜な内容が登録される。
【００４３】
そして、この画面において、「Ｇ３ファクシミリ」が選択された場合には、ファクシミリ通信機能を使用する旨が、ユーザにより選択されたものと認識して、当該「Ｇ３ファクシミリ」に登録されている電話番号を宛先ファクシミリ番号として適用して、ファクシミリ送信動作を行う。
【００４４】
また、「Ｔ３７（Ｅメール）」が選択された場合には、Ｔ．３７通信機能を使用する旨が、ユーザにより選択されたものと認識して、当該「Ｔ３７（Ｅメール）」に登録されているメールアドレスを宛先メールアドレスとして適用して、電子メール送信動作を行う。
【００４５】
また、このアドレス帳を利用した送信手段選択画面においても、上述した監視により、通信ができないと判断された送信手段については、上記送信選択手段の表示輝度が半輝度に設定されて、当該送信手段が選択できない旨をユーザに通知するようにしている。
【００４６】
したがって、ユーザは、操作表示部７におけるアドレス帳を利用した送信手段選択画面の表示項目の内容を見るだけで、そのときに使用できる送信手段（通信手段）を確認することができ、直接送信動作、または、メモリ送信動作の宛先を選択する場合、適切な送信手段を選択することができる。
【００４７】
また、ネットワークファクシミリ装置ＦＸは、通信毎に図４に示すような通信管理テーブルを作成して保存し、一定期間に、あるいは、ユーザにより出力が指定されるまでに蓄積された通信管理レポートに基づいて、図５に示すような通信管理レポートを記録出力する。
【００４８】
この通信管理テーブルは、例えば、メモリ送信等の通信ジョブが生成された段階で作成されるものであり、各通信を識別するためのファイル番号、送受信の区分をあらわす送受信フラグ、通信日時、通信に要した時間をあらわす通信時間、電子メールアドレスまたは宛先名等が登録される相手先、やりとりした画情報の枚数、通信結果、その通信の際に用いた通信手段がファクシミリ通信機能であるかＴ．３７通信機能であるかを識別するための通信手段、その通信について特別な項目を保存するための通信手段補足からなる。
【００４９】
なお、通信手段がＴ．３７通信機能の場合には、通信手段として電子メールが用いられるので、送信結果を取得するためには、例えば、ＲＦＣ１８９１等で規定されているＤＳＮ（Ｄｅｌｉｖｅｒｙ  Ｓｔａｔｕｓ  Ｎｏｔｉｆｉｃａｔｉｏｎ）、あるいは、ＲＦＣ２２９８等で規定されているＭＤＮ（Ｍｅｓｓａｇｅ  Ｄｅｌｉｖｅｒｙ  Ｎｏｔｉｆｉｃａｔｉｏｎ）を採用して、送達確認を行い、その送達確認結果に基づいて、送信結果を取得する。
【００５０】
ここで、通信手段補足には、例えば、メモリ送信で、ユーザから送信手段としてファクシミリ通信機能が指定されていたにもかかわらず、実際の送信時にファクシミリ通信機能を適用できずにＴ．３７通信機能を用いた場合、あるいは、逆に、ユーザから送信手段としてＴ．３７通信機能が指定されていたにもかかわらず、実際の送信時にＴ．３７通信機能を適用できずにファクシミリ通信機能を用いた場合に、それぞれ「代替送信」という文字列が保存される。
【００５１】
また、この通信手段補足の内容が通信管理レポートに表示されるので、ユーザは、自分が設定したとは異なる通信手段が用いられた旨を認識することができる。
【００５２】
図６は、送信選択手段を表示する際の処理の一例を示している。この処理は、所定時間間隔で定期的に実行される。
【００５３】
まず、上述した判定処理を適用して、アナログ公衆回線網ＰＳＴＮを使用できるかどうかを検査する（処理１０１）。この検査処理により、アナログ公衆回線網ＰＳＴＮに障害があると判定された場合で、判断１０２の結果がＹＥＳになるときには、送信選択手段の「Ｇ３ファクシミリ送信」という表示項目を半輝度表示する（処理１０３）。
【００５４】
また、アナログ公衆回線網ＰＳＴＮを使用できると判定された場合で、判断１０２の結果がＮＯになるときには、送信選択手段の「Ｇ３ファクシミリ送信」という表示項目を通常表示する（処理１０４）。
【００５５】
次いで、上述した判定処理を適用して、ローカルエリアネットワークＬＡＮを使用できるかどうかを検査する（処理１０５）。この検査処理により、ローカルエリアネットワークＬＡＮに障害があると判定された場合で、判断１０６の結果がＹＥＳになるときには、送信選択手段の「Ｔ３７（Ｅメール）送信」という表示項目を半輝度表示する（処理１０７）。
【００５６】
また、ローカルエリアネットワークＬＡＮを使用できると判定された場合で、判断１０６の結果がＮＯになるときには、送信選択手段の「Ｔ３７（Ｅメール）送信」という表示項目を通常表示する（処理１０８）。
【００５７】
図７は、アドレス帳を利用した送信手段選択画面を表示する際の処理の一例を示している。この処理は、送信手段選択画面を表示している期間中、所定時間間隔で定期的に実行される。
【００５８】
まず、上述した判定処理を適用して、アナログ公衆回線網ＰＳＴＮを使用できるかどうかを検査する（処理２０１）。この検査処理により、アナログ公衆回線網ＰＳＴＮに障害があると判定された場合で、判断２０２の結果がＹＥＳになるときには、アドレス帳を利用した送信手段選択画面の「Ｇ３ファクシミリ送信」という表示項目を半輝度表示する（処理２０３）。
【００５９】
また、アナログ公衆回線網ＰＳＴＮを使用できると判定された場合で、判断２０２の結果がＮＯになるときには、アドレス帳を利用した送信手段選択画面の「Ｇ３ファクシミリ送信」という表示項目を通常表示する（処理２０４）。
【００６０】
次いで、上述した判定処理を適用して、ローカルエリアネットワークＬＡＮを使用できるかどうかを検査する（処理２０５）。この検査処理により、ローカルエリアネットワークＬＡＮに障害があると判定された場合で、判断２０６の結果がＹＥＳになるときには、アドレス帳を利用した送信手段選択画面の「Ｔ３７（Ｅメール）送信」という表示項目を半輝度表示する（処理２０７）。
【００６１】
また、ローカルエリアネットワークＬＡＮを使用できると判定された場合で、判断２０６の結果がＮＯになるときには、アドレス帳を利用した送信手段選択画面の「Ｔ３７（Ｅメール）送信」という表示項目を通常表示する（処理２０８）。
【００６２】
図８および図９は、メモリ送信動作を行う際の処理の一例を示している。
【００６３】
まず、当該メモリ送信動作を規定する通信管理テーブルから指定された送信方法を選択し（処理３０１）、それがＴ．３７通信機能であるかどうかを調べる（判断３０２）。判断３０２の結果がＹＥＳになるときには、上述した判定処理を適用して、ローカルエリアネットワークＬＡＮを使用できるかどうかを検査する（処理３０３）。
【００６４】
この検査処理により、ローカルエリアネットワークＬＡＮが使用可能であると判定された場合で、判断３０４の結果がＮＯになるときには、Ｔ．３７通信機能を適用し、電子メールを用いて、指定された宛先へ、指定された蓄積画情報を送信する（処理３０５）。そして、そのときの送信結果に基づいて、対応する通信管理テーブルの内容を登録し（処理３０６）、このときの動作を終了する。
【００６５】
また、ローカルエリアネットワークＬＡＮに障害が発生している場合で、判断３０４の結果がＹＥＳになるときには、対応する通信管理テーブルの通信手段補足に「代替送信」を登録し（処理３０７）、アナログ公衆回線網ＰＳＴＮを使用できるかどうかを検査する（処理３０８）。
【００６６】
この検査処理により、アナログ公衆回線網ＰＳＴＮを利用可能であると判定された場合で、判断３０９の結果がＮＯになるときには、通信管理テーブルの内容を参照し、ファクシミリ通信機能を適用して、指定された蓄積画情報を送信する（処理３１０）。このとき、同一宛先についてアドレス帳に登録されているファクシミリ番号を適用して発呼宛先を取得し、送信動作を行う。
【００６７】
そして、そのときの送信結果に基づいて、対応する通信管理テーブルの内容を登録し（処理３１１）、このときの動作を終了する。
【００６８】
また、ローカルエリアネットワークＬＡＮおよびアナログ公衆回線網ＰＳＴＮの両方に障害が発生している場合で、判断３１２の結果がＹＥＳになるときには、そのときの送信動作を通信エラーに設定し、当該メモリ送信動作について再送動作を行う（処理３１２）。
【００６９】
一方、指定された送信方法がファクシミリ通信機能であり、判断３０２の結果がＮＯになるときには、上述した判定処理を適用して、アナログ公衆回線網ＰＳＴＮを使用できるかどうかを検査する（処理３１５）。
【００７０】
この検査処理により、アナログ公衆回線網ＰＳＴＮが使用可能であると判定された場合で、判断３１６の結果がＮＯになるときには、ファクシミリ通信機能を適用し、指定された宛先へ発呼し、指定された蓄積画情報を送信する（処理３１７）。そして、そのときの送信結果に基づいて、対応する通信管理テーブルの内容を登録し（処理３１８）、このときの動作を終了する。
【００７１】
また、アナログ公衆回線網ＰＳＴＮに障害が発生している場合で、判断３１６の結果がＹＥＳになるときには、対応する通信管理テーブルの通信手段補足に「代替送信」を登録し（処理３１９）、ローカルエリアネットワークＬＡＮを使用できるかどうかを検査する（処理３２０）。
【００７２】
この検査処理により、ローカルエリアネットワークＬＡＮが利用可能であると判定された場合で、判断３２１の結果がＮＯになるときには、通信管理テーブルの内容を参照し、Ｔ．３７通信機能を適用して、電子メールを用いて指定された蓄積画情報を送信する（処理３２２）。このとき、同一宛先についてアドレス帳に登録されている電子メールアドレスを適用して宛先を取得し、送信動作を行う。
【００７３】
そして、そのときの送信結果に基づいて、対応する通信管理テーブルの内容を登録し（処理３２３）、このときの動作を終了する。
【００７４】
また、アナログ公衆回線網ＰＳＴＮおよびローカルエリアネットワークＬＡＮの両方に障害が発生している場合で、判断３２１の結果がＹＥＳになるときには、そのときの送信動作を通信エラーに設定し、当該メモリ送信動作について再送動作を行う（処理３２４）。
【００７５】
ところで、メモリ送信動作を行う場合で、ユーザから最初に指定された送信手段（通信手段）に障害が発生していて利用できないとき、所定の優先順位に従って通信手段を選択できるようにすると、送信手段を選択する際の自由度が増す。例えば、送信手段が、Ｔ．３７通信機能、Ｔ．３８通信機能、グループ３ファクシミリ通信機能、および、グループ４ファクシミリ通信機能等、３種類以上ある場合などにも容易に適用することができる。
【００７６】
この場合、通信手段はＴ．３７通信機能とファクシミリ通信機能の２つであるので、優先順位を規定する優先順位テーブルは、例えば、図３（ｃ）に示すように、Ｔ．３７通信機能をより高い優先順位とし、ファクシミリ通信機能をより低い優先順位として定めた内容となる。
【００７７】
また、この場合、アドレス帳は、各通信手段について用いる宛先情報をそれぞれ登録しておく必要がある。
【００７８】
図１０、図１１および図１２は、この場合にメモリ送信動作を行う際の処理の一例を示している。
【００７９】
まず、当該メモリ送信動作を規定する通信管理テーブルから指定された送信方法を選択し（処理４０１）、それがＴ．３７通信機能であるかどうかを調べる（判断４０２）。判断４０２の結果がＹＥＳになるときには、上述した判定処理を適用して、ローカルエリアネットワークＬＡＮを使用できるかどうかを検査する（処理４０３）。
【００８０】
この検査処理により、ローカルエリアネットワークＬＡＮが使用可能であると判定された場合で、判断４０４の結果がＮＯになるときには、Ｔ．３７通信機能を適用し、電子メールを用いて、指定された宛先へ、指定された蓄積画情報を送信する（処理４０５）。そして、そのときの送信結果に基づいて、対応する通信管理テーブルの内容を登録し（処理４０６）、このときの動作を終了する。
【００８１】
また、ローカルエリアネットワークＬＡＮに障害が発生している場合で、判断４０４の結果がＹＥＳになるときには、優先順位テーブルを参照して、最も優先順位が高い送信方法を選択し（処理４１０）、その選択した送信方法の回線を検査する（処理４１１）。例えば、送信方法がＴ．３７通信機能およびＴ．３８通信機能である場合には、ローカルエリアネットワークＬＡＮを検査する。また、送信方法がＧ３ファクシミリ通信機能である場合には、当該Ｇ３ファクシミリ通信機能で適用するアナログ公衆回線網ＰＳＴＮの回線の電圧を調べる。また、送信方法がＧ４ファクシミリ通信機能である場合には、当該Ｇ４ファクシミリ通信機能で適用するデジタル公衆回線網ＩＳＤＮの回線機能を調べる。また、送信方法がデジタル公衆回線網ＩＳＤＮを用いるＧ３ファクシミリ通信機能である場合には、当該Ｇ３ファクシミリ通信機能で適用するデジタル公衆回線網ＩＳＤＮの回線機能を調べる。
【００８２】
そして、そのときに選択した送信方法の回線に障害が発生しているかどうかを調べ（判断４１２）、判断４１２の結果がＮＯになるときには、そのときに選択した送信方法を適用して、蓄積画情報を送信する送信動作を行う（処理４１３）。次いで、対応する通信管理テーブルの通信手段補足に「代替送信」を登録し（処理４１４）、そのときの送信結果に基づいて、対応する通信管理テーブルの内容を登録し（処理４１５）、このときの動作を終了する。
【００８３】
また、処理４１１で検査した送信方法の回線に障害が発生している場合で、判断４１２の結果がＹＥＳになるときには、全ての送信方法を試したかどうかを調べ（判断４１６）、判断４１６の結果がＮＯになるときには、優先順位テーブルを参照して、次に優先順位が高い送信方法を選択し（処理４１７）、処理４１１へ戻り、それ以降の処理を繰り返し実行する。
【００８４】
また、全ての送信方法を試したが送信できなかった場合で、判断４１６の結果がＹＥＳになるときには、そのときの送信動作を通信エラーに設定し、当該メモリ送信動作について再送動作を行う（処理４１８）。
【００８５】
一方、指定された送信方法がファクシミリ通信機能であり、判断４０２の結果がＮＯになるときには、上述した判定処理を適用して、アナログ公衆回線網ＰＳＴＮを使用できるかどうかを検査する（処理４２０）。
【００８６】
この検査処理により、アナログ公衆回線網ＰＳＴＮが使用可能であると判定された場合で、判断４２１の結果がＮＯになるときには、ファクシミリ通信機能を適用し、指定された宛先へ発呼し、指定された蓄積画情報を送信する（処理４２２）。そして、そのときの送信結果に基づいて、対応する通信管理テーブルの内容を登録し（処理４２３）、このときの動作を終了する。
【００８７】
また、アナログ公衆回線網ＰＳＴＮに障害が発生している場合で、判断４１６の結果がＹＥＳになるときには、処理４１０へ移行し、それ以降の処理を実行する。
【００８８】
なお、上述した実施例では、（グループ３）ファクシミリ通信機能とＴ．３７通信機能を備えたネットワークファクシミリ装置ＦＸについて、本発明を適用した場合について説明したが、それ以外の通信機能、例えば、Ｔ．３８通信機能、グループ４ファクシミリ通信機能等を備えている場合についても、本発明を同様にして適用することができる。また、３つ以上の通信機能を選択的に利用できる場合についても、本発明を同様にして適用することができる。
【図面の簡単な説明】
【００８９】
【図１】本発明の一実施例にかかるネットワークシステムを示したブロック図。
【図２】ネットワークファクシミリ装置ＦＸの構成例を示したブロック図。
【図３】送信選択手段表示例、アドレス帳を利用した送信手段選択画面の一例、優先順位テーブルの一例を示した概略図。
【図４】通信管理テーブルの一例を示した概略図。
【図５】通信管理レポートの一例を示した概略図。
【図６】送信選択手段を表示する際の処理の一例を示したフローチャート。
【図７】アドレス帳を利用した送信手段選択画面を表示する際の処理の一例を示したフローチャート。
【図８】メモリ送信動作を行う際の処理の一例を示したフローチャート（続く）。
【図９】メモリ送信動作を行う際の処理の一例を示したフローチャート（図８の続き）。
【図１０】メモリ送信動作を行う際の処理の他の例を示したフローチャート（続く）。
【図１１】メモリ送信動作を行う際の処理の他の例を示したフローチャート（図１０の続き）。
【図１２】メモリ送信動作を行う際の処理の他の例を示したフローチャート（図１１の続き）。
【符号の説明】
【００９０】
ＦＸ  ネットワークファクシミリ装置
ＳＭ  メールサーバ装置
【図１】
2005204004.tif 000003
【図２】
2005204004.tif 000004
【図３】
2005204004.tif 000005
【図４】
2005204004.tif 000006
【図５】
2005204004.tif 000007
【図６】
2005204004.tif 000008
【図７】
2005204004.tif 000009
【図８】
2005204004.tif 000010
【図９】
2005204004.tif 000011
【図１０】
2005204004.tif 000012
【図１１】
2005204004.tif 000013
【図１２】
2005204004.tif 000014